(57)【要約】  【課題】  屋外用機器箱に取付けて該機器箱の支持線に対する掛止作業を比較的簡単に行える掛止金具を提供する。  【解決手段】  上部片１ａの両側に、横幅方向の一半側部１ｂ´が他半側部１ｂ´´より広い縦幅を備えて他半側部１ｂ´´と機器箱Ｂとの間のＪ型ボルト頭部８ａの通過間隙ａを構成する側部片１ｂ，１ｂを相対設し、該側部片１ｂ，１ｂの前記一半側部ｂ´には機器箱Ｂの上面に重ね合わせて止着する取付け部片１ｃを前記上部片１ａの面外方向に突出させて設ける。そして、前記他半側部１ｂ´´の自由端に支持線ｍに係止する掛止切欠５を設け、該掛止切欠５に係合したときの前記支持線ｍを前記頭部８ａの内側に係合するＪ型ボルト８の脚杆８ｂを、前記側部片１ｂ，１ｂ間を通じて前記上部片１ａに設けた組付け孔３に貫通させ、該組付け孔３より突出する前記脚杆８ｂの先端にナット６を螺合する。【選択図】    図３
2011091922.tif 000002
【特許請求の範囲】
【請求項１】
上部片の両側に、横幅方向の一半側部が他半側部より広い縦幅を備えて他半側部と機器箱との間のＪ型ボルト頭部の通過間隙を構成する側部片を相対設し、該側部片の前記一半側部には機器箱の上面に重ね合わせて止着する取付け部片を前記上部片の面外方向に突出させて設けると共に、前記他半側部の自由端に支持線に係止する掛止切欠を設け、該掛止切欠に係合したときの前記支持線を前記頭部の内側に係合するＪ型ボルトの脚杆を、前記側部片間を通じて前記上部片に設けた組付け孔に貫通させ、該組付け孔より突出する前記脚杆の先端にナットを螺合した、屋外用機器箱の支持線用掛止金具。
【請求項２】
側部片の他半側部の自由端の、前記側部片の一半側部と掛止切欠との間に、前記掛止切欠の直下位置から外したときのＪ型ボルトの頭部が、ナットの締付けによって接離する突部片を設けた、請求項１記載の屋外用機器箱の支持線用掛止金具。
【発明の詳細な説明】
【技術分野】
【０００１】
本発明は、屋外用機器箱を電柱間に架線した支持線に掛止させるために、該機器箱に止着して用いる掛止金具に関するものである。
【背景技術】
【０００２】
機器箱に止着する取付け板の上部片にベース部材を重ね合わせて取付け、該ベース部材に上方からＵ字ボルトの脚杆を貫通させて下面より突出する先端にナットを螺合する一方、前記Ｕ字ボルトのＵ字形頭部の先端を前記ベース部材に接触又は近接させるようにした構造のものがある（例えば、特許文献１）。
【先行技術文献】
【特許文献】
【０００３】
【特許文献１】実開平２−１４２９３７号公報
【発明の概要】
【発明が解決しようとする課題】
【０００４】
前記従来構造のものは、ボルトのＵ字形頭部を支持線に掛止させ、かつ、該掛止状態を保持するためにナットを締付けて、Ｕ字形頭部の先端をベース部材に近接又は接触させるようにしたものであるが、支持線にＵ字形頭部を引っ掛けて仮掛止したとき、該頭部に機器箱の全荷重が負荷されるので、仮掛止状態から本掛止状態に移行するためのナットの締付け操作が該荷重の負荷によりきわめて難しくなる。そのため、いわゆる仮掛止状態におくことなく、機器箱を何らかの手段で保持して、ナットの締付け操作を行う本掛止操作を行わざるを得ず、そのための機器箱の保持は高所で行うため危険が伴う。
【０００５】
本発明は、従来例の、このような欠点に着目し、機器箱側からの荷重に対して支持線に仮掛止してその負担を低減し、本掛止状態に簡単に移行できる、機器箱の支持線用掛止金具を提供することを目的とする。
【課題を解決するための手段】
【０００６】
上部片の両側に、横幅方向の一半側部が他半側部より広い縦幅を備えて他半側部と機器箱との間のＪ型ボルト頭部の通過間隙を構成する側部片を相対設し、該側部片の前記一半側部には機器箱の上面に重ね合わせて止着する取付け部片を前記上部片の面外方向に突出させて設けると共に、前記他半側部の自由端に支持線に係止する掛止切欠を設け、該掛止切欠に係合したときの前記支持線を前記頭部の内側に係合するＪ型ボルトの脚杆を、前記側部片間を通じて前記上部片に設けた組付け孔に貫通させ、該組付け孔より突出する前記脚杆の先端にナットを螺合したことを基本的手段とする。
【０００７】
この基本的手段に側部片の他半側部の自由端の、前記側部片の一半側部と掛止切欠との間に、掛止切欠の直下位置から外したときのＪ型ボルトの頭部が、ナットの締付けによって接離する突部片を設けた構成を付加することにより本掛止金具を取付けた屋外用機器箱を支持線に掛止する際、突部片にＪ型ボルト頭部を圧接させて動かない（回らない）ようにして、掛止操作（掛止切欠の内側に支持線を係合する操作）を行うことができ、従って、屋外用機器箱の掛止作業を尚一層円滑に行うことができる。
【発明の効果】
【０００８】
本発明によれば、機器箱を支持線に対して仮掛止状態にして、機器箱の保持作業を省略して本掛止状態にすることができ、しかも、特別な空間を必要としないで本掛止状態に簡単に移行して、該本掛止状態を確実に維持でき、機器箱の支持線に対する掛止作業を比較的簡単に行える掛止金具を提供することができる。
【図面の簡単な説明】
【０００９】
【図１】使用状態の斜視図。
【図２】図１の一部拡大正面図。
【図３】図２ｘ−ｘ線断面図。
【図４】図２の平面図。
【図５】仮掛止した状態の側面図。
【図６】仮掛止時における正面図。
【図７】図６の一部欠截側面図。
【発明を実施するための形態】
【００１０】
実施形態の、本発明に係る、屋外用機器箱の支持線用掛止金具Ａは、機器箱Ｂの上面に重ね合わせて後記する取付け板１ｃに設けた孔２に取付けボルトｂを通して機器箱Ｂ側に設けた雌ねじに螺合締付けて用い、図示は一対の掛止金具Ａ，Ａを用いているが機器箱Ｂの形態や大きさによってその使用数は自由に選択すれば良い。
【００１１】
掛止金具Ａは、鋼製金属板をプレス成形して得た主体枠１を備え、主体枠１は上部片１ａと該上部片１ａの両側に相対設した一対の側部片１ｂ，１ｂを備えたコ形枠体で構成する。
【００１２】
主体枠１の側部片１ｂ，１ｂは、横幅方向の一半側部１ｂ´が他半側部１ｂ´´より縦幅を広くして、前記他半側部１ｂ´´の自由端（先端）と機器箱Ｂとの間に、Ｊ型ボルト頭部８ａの通過間隙（Ｊ型ボルト頭部８ａを干渉されることなく回転できる間隙）ａが形成されるようにしてある。
【００１３】
そして、前記一半側部１ｂ´の下部に先端側を下方向にして傾斜状に前記上部片１ａの面外方向（主体枠１の外方向）に突出する部分を設け、該部分をスペーサ部１ｄとし、該スペーサ部１ｄに前記面外方向に突出する前記取付け部片１ｃを連続して設け、該取付け部片１ｃに前記孔２を設けてある。
【００１４】
主体枠１の上部片１ａの中間部、すなわち、スペーサ部１ｄ等を連続させた、側部片１ｂの前記一半側部１ｂ´と外れた、他半側部１ｂ´´側の中間部に組付け孔３を設けてＪ型ボルト８の脚杆部８ｂを貫通させて組み付けるようにしてある。
【００１５】
そして、側部片１ｂの前記他半側部１ｂ´´側の下縁（先端）には、前記一半側部１ｂ´が前記の通り、スペーサ部１ｄを介して取付け部片１ｃを連続させて設けてあるに対し、掛止切欠５と突部片４を設けてある。
【００１６】
突部片４は、掛止切欠５と前記一半側部１ｂ´の間に、すなわち、上部片１ａに設けた前記組付け孔３と上下方向に一部が重なる位置に下方に突設して配し、組付け孔３に貫通させて上部片１ａに組合わせて、掛止金具Ａを仮掛け状態にしたときの、前記Ｊ型ボルト８の、Ｕ字状の頭部８ａの側縁に接する（締付けナット６の締付けによって圧接する）ようにしてある。
【００１７】
掛止切欠５は、この突部片４に隣接させて配し、該突部片４に内側縁の一部を構成させるように、側部片１ｂの、他半側部１ｂ´´の中間部に設けたもので、支持線ｍが係合する深さと幅径を備えている。
【００１８】
前記スペーサ部１ｄは、支持線ｍに対する、掛止金具Ａを取付けた機器箱Ｂの仮掛け状態から本掛け状態或いは本掛け状態から仮掛け状態に移行する際に行われる前記Ｊ型ボルト８の回し操作を円滑に行うための、空間域すなわち、前記通過間隙ａを確保するためのもので、傾斜状にしてあるのは、掛止金具Ａの機器箱Ｂに対する取付け状態の安定性と、機器箱Ｂからの掛止金具Ａの突出量（上方への）をできるだけ低減することを目的とする。
【００１９】
前記取付け部片１ｃは、機器箱Ｂの上面に取付ける取付けボルトｂ挿通用の、一対の前記孔２，２を設けたものである。
【００２０】
そして、掛止金具Ａは、取付け部片１ｃの孔２を利用して機器箱Ｂの上面に取付けて用いるのであるが、主体枠１の上部片１ａに設けた組付け孔３に、下側から脚杆８ｂを貫通させ、組付け孔３より突出する脚杆（ねじ杆）８ｂの先端に締付けナット６を螺合するようにしてＪ型ボルト８を主体枠１に組合わせ、Ｊ型ボルト８の頭（フック）部８ａを、掛止切欠５の直下位置から外すようにして締付けナット６を締付けると、前記頭部８ａは上昇して主体枠１に設けた突部片４に接触し、ボルト８の勝手な動きは規制され、頭部８ａが掛止切欠５の直下位置に移動することはない。
【００２１】
この状態で、掛止切欠５に支持線ｍを係合するようにして掛止金具Ａ（機器箱Ｂ）を支持線ｍに引っ掛けて仮掛け状態を得、仮掛け状態にして締付けナット６を緩めて、Ｊ型ボルト８の頭部８ａを支持線ｍより下方位置に降下させ、適宜位置で該頭部８ａのＵ字形の直上位置に支持線ｍ（掛止切欠５の縁部が掛止した）が存するようにボルト８を回して方向を変え、再び、締付けナット６を回して締付け操作を行うと、頭部８ａは上昇してその内側に支持線ｍを係合して、主体枠１の掛止切欠５の縁部とで支持線ｍを挟持し、機器箱Ｂの支持線ｍに対する本掛け状態を得るのである。
【符号の説明】
【００２２】
１ａ      上部片
１ｂ      側部片
１ｂ´    一半側部
１ｂ´´  他半側部
１ｃ      取付け部片
３        組付け孔
５        掛止切欠
６        締付けナット
８        Ｊ型ボルト
８ａ      頭部
８ｂ      脚杆
【図１】
2011091922.tif 000003
【図２】
2011091922.tif 000004
【図３】
2011091922.tif 000005
【図４】
2011091922.tif 000006
【図５】
2011091922.tif 000007
【図６】
2011091922.tif 000008
【図７】
2011091922.tif 000009